【手続補正書】
【提出日】平成20年6月25日(2008.6.25)
【手続補正１】
【補正対象書類名】特許請求の範囲
【補正対象項目名】全文
【補正方法】変更
【補正の内容】
【特許請求の範囲】
【請求項１】
予変形した角膜から変形した角膜であって、急激に突出した部分を含み、前記予変形した角膜はその中央領域に矢状高さを有して仮定レンズ矢状高さを定める、変形した角膜を再成形するコンタクトレンズであって：
第１カーブによって定められる湾曲を有する第１ゾーンと；
前記第１ゾーンに結合されそこから放射状に広がり、かつ、第２カーブによって定められる湾曲を有する第２ゾーンであって、前記第２カーブは前記第１カーブを変更することなく前記仮定レンズ矢状高さを前記変形した角膜の前記突出した部分に適合させる所定の適合データにしたがって変更する、第２ゾーンと； 
を含んでなるコンタクトレンズ。
【請求項２】
予変形した角膜から変形した角膜であって、急激に突出した部分を含み、前記予変形した角膜はその中央領域に矢状高さを有して仮定レンズ矢状高さを定める、変形した角膜を再成形するコンタクトレンズであって：
第１カーブによって定められる湾曲を有する第１ゾーンと；
前記第１ゾーンに結合されそこから放射状に広がり、かつ、前記第１カーブよりも平坦な第２カーブによって定められる湾曲を有する第２ゾーンであって、前記第２カーブは前記第１カーブを変更することなく前記仮定レンズ矢状高さを変更するように設けられ、前記第２ゾーンは前記仮定レンズ矢状高さを短くして、前記第１カーブを変更することなく前記変形した角膜を押圧するように前記第１ゾーンを適合させる、第２ゾーンと；
を含んでなるコンタクトレンズ。
【請求項３】
予変形した角膜から変形した角膜であって、急激に突出した部分を含み、前記予変形した角膜はその中央領域に矢状高さを有して仮定レンズ矢状高さを定める、変形した角膜を再成形するコンタクトレンズであって：
第１カーブによって定められる湾曲を有する第１ゾーンと；
前記第１ゾーンに結合されそこから放射状に広がり、かつ、前記第１カーブよりも平坦な第２カーブによって定められる湾曲を有する第２ゾーンであって、前記第２カーブは前記第１カーブを変更することなく前記仮定レンズ矢状高さを変更するように設けられ、前記第２ゾーンは前記仮定レンズ矢状高さを短くして、前記第１カーブを変更することなく前記変形した角膜を押圧するように前記第１ゾーンを適合させ、前記第２カーブは前記変形した角膜のための所定の適合データに基づいて形成される、第２ゾーンと；
を含んでなるコンタクトレンズ。
【請求項４】
予変形した角膜から変形した角膜を再形成するコンタクトレンズであって、前記変形した角膜は急激に突出した部分を有し、コンタクトレンズは：
底部カーブによって定義された湾曲を持っている光学ゾーンと、
前記光学ゾーン結合されそこから放射状に広がる適合ゾーンであって、前記適合ゾーンには適合カーブによって定義された湾曲があって、前記適合カーブが前記底部カーブより平たく形成されている、適合ゾーンと、
前記適合ゾーンに結合されそこから放射状に広がる接続ゾーン複合部であって、少なくとも第１カーブを定義する第１湾曲と第２カーブを定義する第２湾曲があって、前記第１カーブが前記底部カーブよりも平坦であり、前記第２カーブが前記第１カーブより急である、接続ゾーン複合部と、
前記接続ゾーン複合部と結合されそこから放射状に広がる整合ゾーンであって、整合カーブによって定義された湾曲があって、前記整合カーブが前記第２カーブより平坦である、整合ゾーンと、
前記整合ゾーンと結合されそこから放射状に広がる周辺ゾーンであって、周辺カーブによって定義された湾曲があって、前記周辺ゾーンが涙リザーバとして機能するように縁リフトを形成する、周辺ゾーンと、
を含んでなるコンタクトレンズ。
【請求項５】
予変形した角膜から変形された変形した角膜を再形成するコンタクトレンズであって、前記変形した角膜は急激に突出した部分を有し、前記予変形した角膜が中心領域において矢状高さを有して仮想レンズ矢状高さを決定し、コンタクトレンズは；
所定のｅ値を有し、前記変形した角膜の適合データに基づいて少なくとも１つの非球面底部カーブを形成する光学適合ゾーンであって、前記ｅ値は、前記非球面底部カーブの最も中心部を変えることなく、前記仮定レンズ矢状高さを変えるように設けられている、光学適合ゾーンを；
含んでなるコンタクトレンズ。
【請求項６】
請求項５のコンタクトレンズであって、
前記光学適合ゾーンに結合されそこから放射状に広がる接続ゾーン複合部であって、少なくとも第１カーブを定義する第１湾曲と第２カーブを定義する第２湾曲があって、前記第１カーブが前記底部カーブよりも平坦であり、前記第２カーブが前記第１カーブより急である、接続ゾーン複合部と、
前記接続ゾーン複合部と結合されそこから放射状に広がる整合ゾーンであって、整合カーブによって定義された湾曲があって、前記整合カーブが前記第２カーブより平坦である、整合ゾーンと、
前記整合ゾーンと結合されそこから放射状に広がる周辺ゾーンであって、周辺カーブによって定義された湾曲があって、前記周辺ゾーンが涙リザーバとして機能するように縁リフトを形成する、周辺ゾーンと、
をさらに含んでなるコンタクトレンズ。
【請求項７】
請求項５のコンタクトレンズであって、
前記ｅ値は、前記光学適合ゾーンが前記非球面底部カーブの最も中心部を変えることなく、前記仮定レンズ矢状高さを変えるように決定される；
コンタクトレンズ。
【請求項８】
予変形した角膜から変形された変形した角膜であって、へこんでいる中心部を持っている前記変形した角膜を再形成するコンタクトレンズであって、
底部カーブによって定義された湾曲を持っている光学ゾーンと、
前記光学ゾーンと結合されそこから放射状に広がる適合ゾーンであって、適合カーブによって定義された湾曲がある適合ゾーンと、
前記適合ゾーンと結合されそこから放射状に広がる接続ゾーン複合部であって、少なくとも第１カーブを定義する第１湾曲を有し、前記第1カーブは前記底部カーブより急で、前記適合カーブは前記適合カーブが前記底部カーブを変えることなく仮定レンズ矢状高さを変えるように形成される、接続ゾーン複合部と、
を含んでなるコンタクトレンズ。
【請求項９】
請求項８のコンタクトレンズであって、
前記接続ゾーン複合部と結合されそこから放射状に広がる整合ゾーンであって、前記整合ゾーンには整合カーブによって定義された湾曲があって、前記整合カーブが前記第２カーブより平坦である、整合ゾーンと、
前記整合ゾーンと結合されそこから放射状に広がる周辺ゾーンであって、前記周辺ゾーンには周辺カーブによって定義された湾曲があって、前記周辺ゾーンが涙リザーバとして機能するように縁リフトを形成する、周辺ゾーンと、
をさらに含むコンタクトレンズ。
【請求項１０】
予変形した角膜から変形した角膜であってへこんだ中央部を有し、予変形した角膜はその中央領域において矢状高さを有して仮定レンズ矢状高さを定める、変形した角膜を再形成するコンタクトレンズであって、
底部カーブによって定義された湾曲を持っている光学ゾーンと、
所定のｅ値を有し、前記変形した角膜のための適合データに基づく少なくとも１つの非球面の適合／第１接続カーブを形成し、前記非球面底部カーブの最も中心の部分を変えることなく前記仮定レンズ矢状高さを変える、適合／第１接続ゾーンと、
を含むコンタクトレンズ。
【請求項１１】
請求項１０のコンタクトレンズであって、前記ｅ値は前記底部カーブを変えないで、前記仮定レンズ矢状高さを変える、
コンタクトレンズ。
【請求項１２】
請求項１０のコンタクトレンズであって、
前記適合／第１接続ゾーンと結合されそこから放射状に広がる第２接続ゾーンであって、少なくとも第２カーブを定義する第２湾曲がある、第２接続ゾーンを、
さらに含んでなるコンタクトレンズ。
【請求項１３】
請求項１２のコンタクトレンズであって、
前記第２接続ゾーンと結合されそこから放射状に広がる整合ゾーンであって、整合カーブによって定義された湾曲があって、前記整合カーブが前記第２カーブより平坦である、整合ゾーンと、
前記整合ゾーンと結合されそこから放射状に広がる周辺ゾーンであって、周辺カーブによって定義された湾曲があって、前記周辺ゾーンが涙リザーバとして機能するように縁リフトを形成する、周辺ゾーンをさらに含む
コンタクトレンズ。
【請求項１４】
予変形した角膜から変形された変形した角膜であって、へこんでいる中心部を持ち、予変形した角膜はその中央領域において矢状高さを有して仮定レンズ矢状高さを定める、変形した角膜を再形成するコンタクトレンズであって、
第１カーブにより画定される湾曲を有する第１ゾーンと、
前記第１ゾーンと結合されそこから放射状に延伸する第２ゾーンであって、第２カーブにより画定される湾曲を有する第２ゾーンと、
前記第２ゾーンと結合されそこから放射状に延伸する第３ゾーンであって、第３カーブで画定される湾曲を有し、前記第３カーブは前記第１カーブより急で、前記第２カーブは前記第３カーブより平坦で、前記第２カーブは前記第１カーブを変えないで前記仮定レンズ矢状高さを変える、第３ゾーンと、
を含んでなるコンタクトレンズ。
【請求項１５】
請求項１４のコンタクトレンズあって、
前記第１ゾーンが複数のサブ第１ゾーンを含み、それぞれのサブ第１ゾーンがカーブによって画定される湾曲を有する、
コンタクトレンズ。
【請求項１６】
請求項１４のコンタクトレンズあって、前記第１ゾーンが内側ゾーンと外側ゾーンを含み、前記内側ゾーンが内側カーブによって決められる内側湾曲を含み、前記外側ゾーンが外側カーブによって決められる外側湾曲を含み、前記外側カーブは前記内側カーブより平坦である、コンタクトレンズ。